(57)【要約】【課題】  使用者に対して通話状態に近い通信状況を知らせることが可能なコードレス電話装置およびその装置の子機を提供する。【解決手段】  コードレス電話装置１の子機５０では、子機５０が通信チャンネルを介して親機１０と無線通信を行っているときに、その通信チャンネルを介して送信される無線信号の信号強度を周期的に検出し、その検出した信号強度を順次取得する。そして、子機５０は、その取得した過去５回分の信号強度（ＲＳＳＩ値）の平均値に基づき、模式的な図形を生成し、その図形を親機１０との通信状況として表示パネル５３に表示する。このため、使用者が子機５０を用いて通話しているときに、その使用者が、表示パネル５３に表示される通信状況を確認するために子機５０を耳元から移動させたとしても、その通信状況が急激に変化することはないため、使用者は、通話状態に近い通信状況を知ることができる。【選択図】  図５
2006211147.tif 000002
【特許請求の範囲】
【請求項１】
無線通信に用いる所定の無線チャンネルを利用して、親機との間で無線通信を行うための通信手段と、
外部操作によって発呼指令が入力されるか、前記親機から無線送信された呼出信号が前記通信手段にて受信されると、前記親機との間で通話信号を送受信するのに用いる通信用無線チャンネルを決定し、その後、その決定した通信用無線チャンネルを利用して前記通信手段を前記親機との間で無線通信させることにより、通話信号を送受信させる通信制御手段と、
を備えたコードレス電話装置の子機であって、
情報を表示するための表示手段と、
前記通信手段が、前記通信制御手段の制御の下に前記親機との間で前記通信用無線チャンネルを介して無線通信を行っているとき、前記通信手段にて受信された前記親機からの無線信号の信号強度を周期的に検出する信号強度検出手段と、
前記信号強度検出手段にて検出された信号強度を順次取得し、その取得した過去複数回分の信号強度に基づいて、前記親機からの無線信号の現在の信号強度を推定する信号強度推定手段と、
前記信号強度推定手段にて推定された信号強度に基づき、前記親機との通信状況を前記表示手段に表示させる表示制御手段と、
を備えたことを特徴とするコードレス電話装置の子機。
【請求項２】
通信制御手段は、前記発呼指令が入力されるか、前記呼出信号が前記通信手段にて受信されると、前記通信手段を介して前記親機との間で所定の制御用無線チャンネルを利用して無線通信を行うことによって、前記通信用無線チャンネルを決定し、
前記表示制御手段は、前記発呼指令が入力されるか、或いは、前記呼出信号が前記通信手段にて受信されてから、前記通信手段が、前記通信制御手段の制御の下に前記親機との間で前記通信用無線チャンネルを介して無線通信を行うまでの間、前記親機との通信状況が最も悪い旨を前記表示手段に表示させること、
を特徴とする請求項１に記載のコードレス電話装置の子機。
【請求項３】
前記信号強度推定手段は、前記信号強度検出手段から取得した過去複数回分の信号強度の平均値を求めることにより現在の信号強度を推定すること、
を特徴とする請求項１又は請求項２に記載のコードレス電話装置の子機。
【請求項４】
前記表示制御手段は、前記信号強度推定手段により推定された信号強度と予め設定された複数の閾値とを比較することにより、その信号強度を段階的に数値化し、その数値化した結果を前記表示手段に図形にて表示させること、
を特徴とする請求項１ないし請求項３の何れか１項に記載のコードレス電話装置の子機。
【請求項５】
前記親機は、当該子機が送信した無線信号の信号強度を測定し、その測定結果を当該子機に送信するよう構成され、
当該子機は、前記親機から送信されてくる前記測定結果に応じて、前記閾値を変更する閾値変更手段を備えたこと、
を特徴とする請求項４に記載のコードレス電話装置の子機。
【請求項６】
請求項１ないし請求項４の何れか１項に記載のコードレス電話装置の子機と、
前記電話回線網に接続され、前記子機との間で前記通信用無線チャンネルを介して無線通信を行うことにより、前記子機を電話回線網に接続する親機と、
を備えたことを特徴とするコードレス電話装置。
【請求項７】
請求項５に記載のコードレス電話装置の子機と、
前記電話回線網に接続され、前記子機との間で前記通信用無線チャンネルを介して無線通信を行うことにより、前記子機を電話回線網に接続する親機と、
を備えたコードレス電話装置であって、
前記親機は、前記子機から送信されてくる無線信号の信号強度を測定し、その測定検出結果を前記子機に送信する測定結果送信手段を備えたこと、
を特徴とするコードレス電話装置。
【発明の詳細な説明】
【技術分野】
【０００１】
本発明は、電話回線網に接続された親機と、その親機との間で無線回線を介して接続される子機とからなるコードレス電話装置、及び、その装置に用いられる子機に関する。
【背景技術】
【０００２】
従来より、電話回線網に接続された親機と、その親機との間で無線回線を介して接続される子機とからなるコードレス電話装置が知られている。
このようなコードレス電話装置においては、使用者が子機を用いて通話をしている（即ち、子機が親機を介して電話回線網に接続されている）通話時に、子機が、親機から送信されてくる無線信号の信号強度を計測して、その計測結果を当該子機のディスプレイに表示するものが知られている（例えば、特許文献１参照）。
【０００３】
これによれば、使用者は、通話時にディスプレイを見ることで、親機／子機間の通信状況を知ることができる。
【特許文献１】特公平３−３２２５４号公報
【発明の開示】
【発明が解決しようとする課題】
【０００４】
ところで、子機にて計測される信号強度は、使用者が子機を持つ位置によって変わる。
このため、例えば、通話時において、使用者がディスプレイにて信号強度を確認する際に子機を耳元から手元に移動させた場合にも、ディスプレイに表示される信号強度は変わってしまい、使用者は、通話時における親機／子機間の通信状況を知ることができない。
【０００５】
本発明は、こうした問題を解決するためになされたものであり、使用者に対して通話状態に近い通信状況を知らせることが可能なコードレス電話装置およびその装置の子機を提供することを目的としている。
【課題を解決するための手段】
【０００６】
上記問題を解決するためになされた請求項１に記載の発明は、無線通信に用いる所定の無線チャンネルを利用して、親機との間で無線通信を行うための通信手段と、外部操作によって発呼指令が入力されるか、親機から無線送信された呼出信号が通信手段にて受信されると、親機との間で通話信号を送受信するのに用いる通信用無線チャンネルを決定し、その後、その決定した通信用無線チャンネルを利用して通信手段を親機との間で無線通信させることにより、通話信号を送受信させる通信制御手段と、を備えたコードレス電話装置の子機であって、情報を表示するための表示手段と、通信手段が、通信制御手段の制御の下に親機との間で通信用無線チャンネルを介して無線通信を行っているとき、通信手段にて受信された親機からの無線信号の信号強度を周期的に検出する信号強度検出手段と、信号強度検出手段にて検出された信号強度を順次取得し、その取得した過去複数回分の信号強度に基づいて、親機からの無線信号の現在の信号強度を推定する信号強度推定手段と、信号強度推定手段にて推定された信号強度に基づき、親機との通信状況を表示手段に表示させる表示制御手段と、を備えたことを特徴としている。
【０００７】
このようなコードレス電話装置の子機では、通信手段が通信制御手段の制御の下に親機との間で通信用無線チャンネルを介して無線通信を行っているとき、信号強度検出手段が、通信手段にて受信された親機からの無線信号の信号強度を周期的に検出し、信号強度推定手段が、信号強度検出手段にて検出された信号強度を順次取得し、その取得した過去複数回分の信号強度に基づいて、親機からの無線信号の現在の信号強度を推定する。そして、表示制御手段が、信号強度推定手段にて推定された信号強度に基づき、親機との通信状況を表示手段に表示させる。
【０００８】
以上のような請求項１に記載のコードレス電話装置の子機によれば、通信手段が通信制御手段の制御の下に親機との間で通信用無線チャンネルを介して無線通信を行っているとき（即ち、使用者が子機を用いて通話をしているとき）に、使用者が、表示手段に表示される通信状況を確認するために子機を耳元から移動させたとしても、その通信状況が急激に変化することはないため、使用者は、通話状態に近い通信状況を知ることができる。
【０００９】
次に、請求項２に記載のコードレス電話装置の子機は、請求項１に記載の子機において、通信制御手段は、発呼指令が入力されるか、呼出信号が通信手段にて受信されると、通信手段を介して親機との間で所定の制御用無線チャンネルを利用して無線通信を行うことによって、通信用無線チャンネルを決定し、表示制御手段は、発呼指令が入力されるか、或いは、呼出信号が通信手段にて受信されてから、通信手段が、通信制御手段の制御の下に親機との間で通信用無線チャンネルを介して無線通信を行うまでの間、親機との通信状況が最も悪い旨を表示手段に表示させること、を特徴としている。
【００１０】
これによれば、使用者は、通話可能な状態が確立したことを判断することができる。
また、信号強度推定手段は、請求項３に記載のように、信号強度検出手段から取得した過去複数回分の信号強度の平均値を求めることにより現在の信号強度を推定するように構成されていても良い。
【００１１】
このようにすれば、外乱の影響を受けることなく現在の信号強度を推定することができると共に、その推定を簡単に行うことができる。
また、表示制御手段は、請求項４に記載のように、信号強度推定手段により推定された信号強度と予め設定された複数の閾値とを比較することにより、その信号強度を段階的に数値化し、その数値化した結果を表示手段に図形にて表示させるように構成されていることが好ましい。
【００１２】
このようにすれば、使用者は、表示手段を一目見るだけで、親機との通信状況を確認することができる。
ところで、本発明の子機は、親機から送信されてくる無線信号の信号強度に基づいて、親機との通信状況を表示手段に表示している。このため、例えば、親機から子機への通信状況が良くて、子機から親機への通信状況が悪かった場合、表示手段には通信状況が良い旨が表示されてしまう。
【００１３】
そこで、この問題を解決するためには、請求項４に記載の子機を、請求項５に記載のように構成すると良い。
即ち、請求項５に記載の子機は、請求項４に記載の子機において、親機は、当該子機が送信した無線信号の信号強度を測定し、その測定結果を当該子機に送信するよう構成され、当該子機は、親機から送信されてくる測定結果に応じて、閾値を変更する閾値変更手段を備えたこと、を特徴としている。
【００１４】
このようにすれば、子機は、子機から親機への通信状況を加味した通信状況を、表示手段に表示することとなるため、より正確な通信状況を使用者に知らせることができる。
次に、請求項６に記載の発明は、請求項１〜請求項４の何れか１項に記載のコードレス電話装置の子機と、電話回線網に接続され、子機との間で通信用無線チャンネルを介して無線通信を行うことにより、子機を電話回線網に接続する親機と、を備えたことを特徴としている。
【００１５】
これによれば、請求項１〜請求項４と同様の効果を得ることができる。
次に、請求項７に記載の発明は、請求項５に記載のコードレス電話装置の子機と、電話回線網に接続され、子機との間で通信用無線チャンネルを介して無線通信を行うことにより、子機を電話回線網に接続する親機と、を備えたコードレス電話装置であって、親機は、子機から送信されてくる無線信号の信号強度を測定し、その測定検出結果を子機に送信する測定結果送信手段を備えたこと、を特徴としている。
【００１６】
これによれば、請求項５と同様の効果を得ることができる。
【発明を実施するための最良の形態】
【００１７】
以下に、本発明が適用された実施形態について、図面を用いて説明する。
［第１実施形態］
図１は本発明のコードレス電話装置１の斜視図であり、図２（ａ）は子機５０の背面を示す斜視図であり、図２（ｂ）は充電台８０の斜視図であり、図３はコードレス電話装置１の電気的構成を表すブロック図である。
【００１８】
コードレス電話装置１は、電話回線網１００（図３参照）を介して音声通話を実現する機能（電話通話機能）や電話回線網１００を介して画像データの送受信を行う機能（ファクシミリ機能）等を有しており、図１に示すように、電話回線網１００に接続される親機１０と、その親機１０との間で無線回線を介して接続される子機５０と、図示しない外部電源に接続され、子機５０を着脱可能に載置し、載置された子機５０を所定の電圧で充電するための充電台８０とから構成されている。尚、本実施形態のコードレス電話装置１において、ファクシミリ機能に関連する構成要素は、本発明とは直接関係ないため説明は省略する。
【００１９】
親機１０は、その親機本体ケース１１の側部に、親機１０本体から取り外した状態で使用される送受話器であるハンドセット１２が取り付けられている。更に、親機本体ケース１１の上面には、各種機能に関連する情報を表示するための表示パネル１３と、相手側の電話番号を入力するためのダイヤルボタン１４ａ，表示パネル１３に表示されるメニュー画面等で選択するときに操作される選択ボタン１４ｂなどの各種操作ボタン１４が備えられている。尚、表示パネル１３は、表示画面を背面から照明するバックライト付の液晶ディスプレイ（ＬＣＤ）である。
【００２０】
子機５０は、ハンドセットの形状をした子機本体ケース５１の表面上に、各種機能に関連する情報を表示するための表示パネル５３と、相手側の電話番号を入力するためのダイヤルボタン５４ａ，外線通話を開始するときに操作される外線通話ボタン５４ｂ，通話を終了するときに操作される切ボタン５４ｃ，表示パネル５３に表示されるメニュー画面等で選択するときに操作される選択ボタン５４ｄ等の各種操作ボタン５４と、子機５０全体に電源を供給する電池７４（図３参照）を充電台８０から充電するための充電用端子５５（図２（ａ）参照）とが備えられている。
【００２１】
尚、表示パネル５３は、表示画面を背面から照明するバックライト付の液晶ディスプレイ（ＬＣＤ）である。
充電台８０は、図２（ｂ）に示すように、子機５０を着脱可能に載置する載置用凹部８１ａが形成された充電台本体８１と、載置用凹部８１ａ内に設けられ、子機５０が載置用凹部８１ａ内に載置されると充電用端子５５に接触する充電用端子８２とから構成される。
【００２２】
次に、コードレス電話装置１の電気的構成について、図３を用いて説明する。
親機１０は、親機１０全体の動作を制御する制御部２０，ハンドセット１２，表示パネル１３，操作ボタン１４，子機５０との間で音声信号（通話信号に相当）やデータ信号を無線通信により送受信する無線通信部３０等を備えている。
【００２３】
制御部２０には、操作ボタン１４からの出力信号、無線通信部３０からの出力信号（音声・データ信号）、コードレス電話装置１外部からの音声信号が入力される。
また、制御部２０は、コードレス電話装置１外部から入出力する音声信号の伝送先および伝送元となる伝送経路を設定する。具体的に説明すると、ハンドセット１２が親機１０本体から取り外された場合には、伝送経路をハンドセット１２に切り換え、子機５０により通話を開始するための通話開始操作が行われた場合には、伝送経路を無線通信部３０に切り換える。
【００２４】
更に、制御部２０は、子機５０との間で無線通信を行うためのデータ信号や音声信号を無線通信部３０に出力したり、ハンドセット１２及び無線通信部３０からの音声信号をコードレス電話装置１外部へ出力する。
【００２５】
無線通信部３０は、ＣＰＵ，ＲＡＭ，ＲＯＭ，Ａ／Ｄ変換器等からなる無線通信制御部３２と、ＥＥＰＲＯＭ３４と、コンパンダ３６と、子機５０との間で無線通信を行うためのＲＦモジュール３８と、を備えている。
【００２６】
コンパンダ３６は、子機５０から送信された無線信号をＲＦモジュール３８を介して取得し、その信号を音声信号とデータ信号とに切り分け、音声信号を制御部２０に送り、データ信号を無線通信制御部３２に送る。また、コンパンダ３６は、制御部２０からの音声信号や、無線通信制御部３２からのデータ信号をＲＦモジュール３８に送る。
【００２７】
ＲＦモジュール３８は、無線通信制御部３２と通信可能に構成されており、無線通信制御部３２からの指令に基づき、無線通信に使用する無線チャンネルを周波数の異なる複数の無線チャンネルの中から選択し、その選択した無線チャンネルを用いて、コンパンダ３６からの出力信号を子機５０へ送信すると共に、子機５０から送信されてくる無線信号を受信する。
【００２８】
尚、本実施形態において、ＲＦモジュール３８が無線通信に使用する無線チャンネルは、３８０ＭＨｚ帯にて各無線チャンネルの周波数間隔が１２．５ｋＨｚである８９個のチャンネルであり、子機５０（詳しくは、後述のＲＦモジュール６８）が無線通信に使用する無線チャンネルは、２８０ＭＨｚ帯にて各無線チャンネルの周波数間隔が１２．５ｋＨｚである８９個のチャンネルである。また、そのうち、データ信号のみの送受信を行う際には、４６チャンネルと８９チャンネルが使用され、音声信号を送受信する場合には、残りの１チャンネル〜４５チャンネル及び４７チャンネル〜８８チャンネルの何れかが使用される。また、以下の説明において、親機１０／子機５０間で利用される無線チャンネルを区別する場合には、４６，８９チャンネルを制御チャンネルといい、１〜４５，４７〜８８チャンネルを通信チャンネルという。
【００２９】
また、ＲＦモジュール３８は、外部から無線にて受信した信号の信号強度を検出して、その検出結果を無線通信制御部３２のＡ／Ｄ変換器に出力する。尚、本実施形態において、無線通信制御部３２のＡ／Ｄ変換器では、ＲＦモジュール３８から入力された検出結果を、８ビットのデジタル値に変換する。
【００３０】
無線通信制御部３２には、制御部２０やコンパンダ３６から出力されるデータ信号が入力され、無線通信制御部３２は、制御部２０からのデータ信号をコンパンダ３６に出力する。
【００３１】
また、無線通信制御部３２は、当該親機１０から子機５０と通信を開始する際、ＲＦモジュール３８にて検出される信号強度に基づき、使用可能な無線チャンネルを選択し、その結果をＲＦモジュール３８に送信する。
【００３２】
これにより、親機１０は、無線通信制御部３２が選択した無線チャンネルを用いて子機５０との無線通信を開始することとなる。
次に、子機５０は、子機５０全体の動作を制御する制御部６０と、表示パネル５３と、操作ボタン５４と、レシーバ６２と、マイク６４と、コンパンダ６６と、親機１０（詳しくは、ＲＦモジュール３８）との間で音声信号やデータ信号を無線通信により送受信するためのＲＦモジュール６８と、ＥＥＰＲＯＭ７０と、操作ボタン５４を背後から照らすための操作ボタンＬＥＤ７２と、子機５０全体に電源を供給する電池７４と、充電用端子８２と電気的に接続するための充電用端子５５と、充電用端子５５を介して充電台８０から供給される電源電圧により電池７４を充電する充電回路７６と備えている。
【００３３】
コンパンダ６６は、親機１０から送信された無線信号をＲＦモジュール６８を介して取得し、その信号を音声信号とデータ信号とに切り分け、音声信号をレシーバ６２に送り、データ信号を制御部６０に送る。また、コンパンダ６６は、マイク６４からの音声信号や、制御部６０からのデータ信号をＲＦモジュール６８に送る。
【００３４】
ＲＦモジュール６８は、制御部６０と通信可能に構成されており、制御部６０からの指令に基づき、無線通信に使用する無線チャンネルを８９個の無線チャンネルの中から選択し、その選択した無線チャンネルを用いてコンパンダ６６からの出力信号を親機１０へ送信すると共に、親機１０から送信されてくる無線信号を受信する。
【００３５】
また、ＲＦモジュール６８は、外部から無線にて受信した信号の信号強度を検出して、その検出結果を、制御部６０に内蔵されたＡ／Ｄ変換器に出力する。尚、本実施形態において、制御部６０のＡ／Ｄ変換器では、ＲＦモジュール６８から入力された検出結果を、８ビットのデジタル値（以下、ＲＳＳＩ値という）に変換する。
【００３６】
制御部６０は、ＣＰＵ，ＲＡＭ，ＲＯＭ，Ａ／Ｄ変換器等を備えており、操作ボタン５４からの出力信号やコンパンダ６６からのデータ信号が入力される。
また、制御部６０は、親機１０との間で無線通信を行うためのデータ信号をコンパンダ６６に出力する。
【００３７】
また、制御部６０は、ＲＦモジュール６８と通信可能に構成されており、当該子機５０から親機１０と通信を開始する際、ＲＦモジュール６８にて検出される信号強度に基づき、使用可能な無線チャンネルを選択し、その結果をＲＦモジュール６８に送信する。
【００３８】
これにより、子機５０は、制御部６０が選択した無線チャンネルを用いて親機１０との無線通信を開始することとなる。
また更に、制御部６０は、子機５０が通信チャンネルを介して親機１０と無線通信を行っているときに、その通信チャンネルを介して親機１０から送信されてくる無線信号の信号強度を、ＲＦモジュール６８を介して周期的に取得し、取得した過去５回分の信号強度（即ち、ＲＳＳＩ値）の平均値を算出する。
【００３９】
そして、制御部６０は、算出した平均値とＲＯＭに記憶されている複数の閾値とを比較することにより、その平均値を段階的に数値化し、その数値化した結果に基づいて模式的な図形を生成し、その生成した図形を親機１０との通信状況として表示パネル５３に表示させる。
【００４０】
具体的に説明すると、制御部６０のＲＯＭには、図形生成用テーブルが記憶されている。
図形生成用テーブルは、図４に示すように、０〜２５５の値を複数の閾値により５段階に分け、当該制御部６０にて生成される図面が、各段階毎に関連付けられている。
【００４１】
即ち、図形生成用テーブルは、最も低いレベル（０〜９９）が、子機５０が親機１０と通信できない状態を表す図形と対応し、２番目に低いレベル（１００〜１２９）が、親機１０との通信状況が最も悪い状態を表す図形と対応するというように、閾値が上がるにつれて（図４にて下方へ行くにつれて）、それに対応する図形も、通信状況が良好になる状態になっていくようにされている。尚、本実施形態において、通信状況が最も悪い状態とは、親機１０と子機５０とが通信可能な状態の中で、その通信状況が最も悪い状態をいう。
【００４２】
そして、制御部６０は、ＲＦモジュール６８から取得した過去５回分のＲＳＳＩ値の平均値を算出すると、図形生成用テーブルを参照して、その算出した平均値に対応する図形を抽出する。そして、制御部６０は、図形生成用テーブルから図形を抽出すると、その図形を表示パネル５３に表示させる。
【００４３】
次に、充電台８０は、上述の充電用端子８２を備え、外部の所要電源からの供給を受けることにより所定の電源電圧を生成し、子機５０に電源供給を行う。
次に、使用者が子機５０から電話を掛ける際に、親機１０と子機５０との間で行われる動作を、図５に基づいて説明する。
【００４４】
通話が行われていない状態（待機状態）に、子機５０において、使用者が外線通話ボタン５４ｂを押すことによる通話開始操作が行われると、子機５０は、所定の制御チャンネル（例えば４６チャンネル）を用いて親機１０へ発呼指令を送信する。
【００４５】
発呼指令を受信した親機１０は、子機５０との間で無線通信するための通信チャンネルを１つ（例えば５チャンネル）選択し、選択した通信チャンネルを表す指定通信チャンネル指令を、制御チャンネル（４６チャンネル）を用いて子機５０へ送信する。
【００４６】
指定通信チャンネル指令を受信した子機５０は、その５チャンネルの周波数帯の無線信号の信号強度をＲＦモジュール６８にて取得し、その取得した信号強度に基づき、５チャンネルが使用可能か否かを判定する。尚、図５では、５チャンネルが使用可能と判定されたものとして説明を行う。
【００４７】
そして、上記判定の結果、５チャンネルは使用可能な通信チャンネルであったため、子機５０は、５チャンネルが使用可能チャンネルであることを表す指定通信チャンネルＯＫ応答を、４６チャンネルを用いて親機１０へ送信する。
【００４８】
そして、指定通信チャンネルＯＫ応答を受信した親機１０は、以後５チャンネルを用いて無線通信を行うことを表す通信チャンネル決定通知を、４６チャンネルを用いて子機５０へ送信する。
【００４９】
そして、子機５０が通信チャンネル決定通知を受信すると、子機５０は通話が可能になる。尚、ここでいう通話可能とは、子機５０が親機１０を介して電話回線網１００に接続された状態であって、親機１０と子機５０が指定した通信チャンネルでの通信が確立されたことをいう。
【００５０】
その後、子機５０にて使用者がよってダイヤル操作をすることにより親機１０が電話回線網１００にダイヤル信号を送出して、相手側電話装置が応答することにより、その相手先電話装置との間で外線通話が可能となる。
【００５１】
ここで、子機５０は、通話可能な状態になると、親機１０から通信チャンネル（この例では５チャンネル）を介して送信されてくる無線信号の信号強度を周期的（本実施形態では０．５ｓ毎）に取得し、その取得した過去５回分の信号強度の平均値に基づいて図形生成用テーブルから抽出された図形を、親機１０との通信状況として表示パネル５３に表示させる。
【００５２】
その後、子機５０の使用者が、子機５０の切ボタン５４ｃを押すことによる通話終了操作を行うと、子機５０は親機１０へ通話終了指令を送信すると共に、上述した図形の表示を中止する。
【００５３】
そして、通話終了指令を受信した親機１０は相手先電話装置との外線通話を終了する。
次に、外部からコードレス電話装置１に着信があった際に親機１０と子機５０との間で行われる動作を、図６に基づいて説明する。
【００５４】
まず、親機１０において相手側電話装置からの着信を検知すると、親機１０は、子機５０との間で無線通信するための通信チャンネルを１つ（例えば５チャンネル）選択し、その選択した通信チャンネルを表す指定通信チャンネル指令を、所定の制御チャンネル（例えば４６チャンネル）を用いて子機５０へ送信する。
【００５５】
そして、指定通信チャンネル指令を受信した子機５０は、上述したように、５チャンネルが使用可能か否かを判定し、使用可能であると判定した場合に、指定通信チャンネルＯＫ応答を、４６チャンネルを用いて親機１０へ送信する。
【００５６】
そして、指定通信チャンネルＯＫ応答を受信した親機１０は、以後５チャンネルを用いて無線通信を行うことを表す通信チャンネル決定通知を、４６チャンネルを用いて子機５０へ送信する。
【００５７】
そして、子機５０が通信チャンネル決定通知を受信すると、子機５０は通話が可能になる。
具体的に説明すると、子機５０は、通信チャンネル決定通知を受信すると、鳴動することにより着信があることを使用者に報知し、子機５０の使用者が外線通話ボタン５４ｂを押すなどの通話開始操作をした後に、相手先電話装置との間で外線通話が可能となる。
【００５８】
また、このように外部からの着信により子機５０が通話可能な状態になっても、子機５０は、上述の如く親機１０との通信状況を表示パネル５３に表示させる。
その後、子機５０の使用者が、子機５０の切ボタン５４ｃを押すことによる通話終了操作を行うと、子機５０は親機１０へ通話終了指令を送信すると共に、表示パネル５３への図形の表示を中止する。
【００５９】
そして、通話終了指令を受信した親機１０は相手先電話装置との外線通話を終了する。
次に、子機５０において、着信があったとき、または、通話開始操作がされたときに、制御部６０で実行される処理を、図７のフローチャートを用いて説明する。
【００６０】
制御部６０が図７の処理を開始すると、まずＳ１１０にて、親機１０との間で無線通信するための通信チャンネルを決定する通信チャンネル決定処理を行う。尚、この通信チャンネル決定処理では、図形生成用テーブルから２番目に低いレベルに対応する図形（即ち、親機１０との通信状況が最も悪い状態を表す図形）を抽出して、その図形を表示パネル５３に表示させる処理も行う。
【００６１】
次に、Ｓ１２０では、以後利用する無線チャンネルを、現在利用している制御チャンネルからＳ１１０にて決定された通信チャンネルに切り換える。
そして、Ｓ１３０では、ＲＦモジュール６８から、現在利用している通信チャンネルのＲＳＳＩ値を取得し、その取得したＲＳＳＩ値を、例えばＥＥＰＲＯＭ７０に記憶する。
【００６２】
次に、Ｓ１４０にて、ＥＥＰＲＯＭ７０に記憶されているＲＳＳＩ値を読み込み、その読み込んだＲＳＳＩ値の平均値を算出する。
そして、Ｓ１５０では、ＲＯＭに記憶された図形生成用テーブルを参照して、Ｓ１４０にて算出された平均値に対応する図形を抽出する。
【００６３】
そして、Ｓ１６０では、Ｓ１５０にて抽出された図形を表示パネル５３に出力することにより、表示パネル５３にその図形を表示させる。
ここで、例えば、Ｓ１４０にて算出された平均値が２００であった場合には、図４にて最も高いレベル（１８０〜２５５）に対応する図形が、図８に示すように、表示パネル５３の左下部分に表示される。尚、表示パネル５３には、Ｓ１６０にて表示される親機１０との通信状況の他に、現在の時刻や子機５０の動作状態が表示される。
【００６４】
次に、Ｓ１７０では、過去４回分のＲＳＳＩ値以外を消去する。
次に、Ｓ１８０では、通話終了指令が入力されたか否かを判定する。
そして、Ｓ１８０にて、通話終了指令が入力されたと判定した場合には、Ｓ１９０に移行し、逆にＳ１８０にて、通話終了指令が入力されていないと判定した場合には、Ｓ１３０に移行する。
【００６５】
そして、Ｓ１９０では、表示パネル５３への図形の出力を中止し、続くＳ２００にて、ＥＥＰＲＯＭ７０に記憶されているＲＳＳＩ値を全て消去し、当該処理を終了する。
尚、Ｓ１３０にてＥＥＰＲＯＭ７０に記憶されているＲＳＳＩ値が４つ以下の場合、Ｓ１４０では、ＥＥＰＲＯＭ７０に記憶されているだけのＲＳＳＩ値の平均値を算出する。
【００６６】
以上説明したように、第１実施形態の子機５０では、使用者が子機５０を用いて通話しているとき（子機５０が通信チャンネルを介して親機１０と無線通信を行っているとき）に、その通信チャンネルを介して送信される無線信号の信号強度を周期的に検出し、その検出した信号強度を順次取得する。そして、子機５０は、その取得した過去５回分の信号強度（ＲＳＳＩ値）の平均値に基づき、模式的な図形を生成し、その図形を親機１０との通信状況として表示パネル５３に表示する。
【００６７】
以上のようなコードレス電話装置１によれば、使用者が子機５０を用いて通話しているときに、その使用者が、表示パネル５３に表示される通信状況を確認するために子機５０を耳元から移動させたとしても、その通信状況が急激に変化することはないため、使用者は、通話状態に近い通信状況を知ることができる。
【００６８】
また、子機５０は、発呼指令或いは着信があってから、通信チャンネルを用いて親機１０と無線通信するまでの間、親機１０との通信状況が最も悪い旨を表示パネル５３に表示させるようにされているため、使用者は、通話可能な状態が確立したことを判断することができる。
【００６９】
また、本第１実施形態のコードレス電話装置１によれば、過去５回分のＲＳＳＩ値の平均値に基づき、現在の信号強度を求めているため、外乱の影響を受けることなく現在の信号強度を求めることができると共に、その導出を簡単に行うことができる。
【００７０】
また、コードレス電話装置１によれば、過去５回分のＲＳＳＩ値の平均値と、図形生成用テーブルの複数の閾値とを比較することにより、その平均値に対応した図形を表示パネル５３に表示しているため、使用者は、表示パネル５３を一目見るだけで、親機１０との通信状況を確認することができる。
【００７１】
尚、本実施形態では、ＲＦモジュール６８が通信手段、信号強度検出手段に相当し、図７のフローチャートが通信制御手段に相当している。また、図６にて親機１０から送信される指定通信チャンネル指令が呼出信号に相当し、制御チャンネルが制御用無線チャンネルに相当し、通信チャンネルが通信用無線チャンネルに相当している。また、表示パネル５３が表示手段に相当し、Ｓ１３０及びＳ１４０の処理が信号強度推定手段に相当し、Ｓ１１０，Ｓ１５０及びＳ１６０の処理が表示制御手段に相当している。
【００７２】
［第２実施形態］
次に、第２実施形態のコードレス電話装置２について、図９〜１２を用いて説明する。尚、第２実施形態のコードレス電話装置２は、第１実施形態のコードレス電話装置１に対して、親機１０が、子機５０からの無線信号の信号強度を検出してその検出結果を子機５０に送信し、子機５０が、親機１０から受信した検出結果に基づき図形生成用テーブルを更新することにより親機１０との通信状況を表示パネル５３に表示するようにしたものである。また、図９〜図１２において、図９は、変更後図形生成用テーブルを説明する説明図であり、図１０は、第２実施形態の子機５０において、着信があったとき、または、通話開始操作がされたときに制御部６０で実行される処理を表すフローチャートであり、図１１は、第２実施形態の親機１０の無線通信制御部３２にて実行される処理を表すフローチャートであり、図１２は、使用者が第２実施形態の子機５０から電話を掛ける際に親機１０と子機５０との間で行われる動作を表すシーケンス図である。
【００７３】
第２実施形態の子機５０は、第１実施形態の子機５０と比較すると、下記の２点が異なっている。
まず、制御部６０のＲＯＭには、図４の図形生成用テーブルに加えて、図９に示す変更後図形生成用テーブルが記憶されている。具体的に説明すると、変更後図形生成用テーブルの各レベル毎の閾値は、図９に示すように、それと対応する図形生成用テーブルの各レベル毎の閾値よりも高く設定されている。
【００７４】
次に、制御部６０は、図７の処理に代えて、図１０の処理を実行する。尚、図１０の処理は、図７の処理と同様、着信があったとき、または、通話開始操作がされたときに制御部６０にて実行される処理であり、図１０の処理において、図７の処理と同じ処理については、同じステップ番号を付しているため、詳細な説明は省略する。
【００７５】
即ち、制御部６０が図９の処理を実行してＳ１１０及びＳ１２０の処理を終了すると、Ｓ３１０に進む。
Ｓ３１０では、親機１０側で子機５０からの無線信号を受信する際に検出される信号強度を、親機１０から当該子機５０へ送信させるための指令（以下、親機側ＲＳＳＩ値送信指令という）をコンパンダ６６に出力する。尚、以下の説明では、親機１０と子機５０とで取得されることとなる信号強度（ＲＳＳＩ値）をそれぞれ区別するため、親機１０側で取得される信号強度（８ビットのデジタル値）を親機側ＲＳＳＩ値といい、子機５０側で取得されるＲＳＳＩ値を子機側ＲＳＳＩ値という。
【００７６】
そして、Ｓ３１０の処理が実行されると、子機５０は、ＲＦモジュール６８から通信チャンネルを介して親機側ＲＳＳＩ値送信指令を送信することとなる。
そして、続くＳ３２０にて、親機１０からの親機側ＲＳＳＩ値を受信するまで待ち、親機側ＲＳＳＩ値を受信すると、その受信した親機側ＲＳＳＩ値を、例えばＲＡＭに記憶する。
【００７７】
続いて、Ｓ３３０にて、その親機側ＲＳＳＩ値を受信した際の子機側ＲＳＳＩ値を取得して、その子機側ＲＳＳＩ値をＥＥＰＲＯＭ７０に記憶する。
次に、Ｓ３４０では、Ｓ３３０にてＥＥＰＲＯＭ７０に記憶した子機側ＲＳＳＩ値と、Ｓ３２０にてＲＡＭに記憶した親機側ＲＳＳＩ値との差を算出する。
【００７８】
そして、Ｓ３５０では、Ｓ３４０にて算出された差が所定の閾値（本第２実施形態では３０）以上であるか否かを判定する。尚、本第２実施形態では、この判定に用いられる閾値を３０に設定しているが、これに限らず、適宜設定するようにしても良い。
【００７９】
そして、Ｓ３５０にて、差が３０以上であると判定された場合には、Ｓ３６０に進み、後述するＳ３７０にて参照するテーブルを、図形生成用テーブルから変更後図形生成用テーブルに変更して、Ｓ１４０に進む。
【００８０】
一方、Ｓ３５０にて、差が３０以上でないと判定された場合には、そのままＳ１４０に進む。
そして、Ｓ１４０の処理が終了すると、続くＳ３７０では、図形生成用テーブルを参照して、Ｓ１４０にて算出した平均値に対応する図形を抽出する。
【００８１】
具体的に説明すると、Ｓ３７０では、今回の図１０の処理でＳ３６０の処理を実行した場合には、変更後図形生成用テーブルを参照して、Ｓ１４０にて算出した平均値に対応する図形を抽出し、逆に、今回の図１０の処理でＳ３６０の処理を実行しなかった場合には、図形生成用テーブルを参照して、Ｓ１４０にて算出した平均値に対応する図形を抽出する。
【００８２】
そして、Ｓ３７０の処理を終了すると、Ｓ１６０→Ｓ１７０→Ｓ１８０と進み、Ｓ１８０にて、通話終了指令が入力されていないと判定されると、Ｓ３８０に進む。
そして、Ｓ３８０では、子機側ＲＳＳＩ値を取得して、その取得した値をＥＥＰＲＯＭ７０に記憶して、Ｓ１４０に進む。
【００８３】
また、Ｓ１８０にて、通話終了指令が入力されたと判定されると、第１実施形態と同様に、Ｓ１９０→Ｓ２００と進んで当該処理を終了する。
次に、第２実施形態の親機１０は、第１実施形態の親機１０と比較すると、無線通信制御部３２が図１１の親機側ＲＳＳＩ値送信処理を実行する点が異なっている。
【００８４】
即ち、親機１０では、子機５０から送信されてくる親機側送信指令を受信すると、無線通信制御部３２にて親機側ＲＳＳＩ値送信処理が実行される。
親機側ＲＳＳＩ値送信処理が実行されると、まずＳ４１０では、子機５０との間で使用されている通信チャンネルを介して送信されてきた無線信号の信号強度を、ＲＦモジュール３８を介して取得する。
【００８５】
そして、続くＳ４２０にて、取得した信号強度（即ち、親機側ＲＳＳＩ値）をコンパンダ３６へ出力することにより、親機側ＲＳＳＩ値をＲＦモジュール３８に無線にて送信させ、当該親機側ＲＳＳＩ値送信処理を終了する。
【００８６】
次に、使用者が第２実施形態の子機５０から電話を掛ける際に、親機１０と子機５０との間で行われる動作を、図１２に基づいて説明する。
コードレス電話装置２では、待機状態に、子機５０において、使用者が外線通話ボタン５４ｂを押すことによる通話開始操作が行われると、上述した図５と同様な手順で制御チャンネル（例えば４６チャンネル）から通信チャンネル（例えば５チャンネル）に切り換えることにより、子機５０が通話可能な状態となる。
【００８７】
ここで、子機５０は、通話可能な状態になると、親機側ＲＳＳＩ値送信指令を通信チャンネル（５チャンネル）を用いて親機１０へ送信する。
そして、親機側ＲＳＳＩ値送信指令を受信した親機１０は、子機５０から５チャンネルを介して送信されてくる無線信号の信号強度を取得し、その取得した信号強度（親機側ＲＳＳＩ値）を、５チャンネルを用いて子機５０へ送信する。
【００８８】
そして、親機側ＲＳＳＩ値を受信した子機５０は、親機１０から５チャンネルを介して送信されてくる無線信号の信号強度を取得し、その取得した子機側ＲＳＳＩ値と親機側ＲＳＳＩ値とを比較する。
【００８９】
そして、子機５０は、子機側ＲＳＳＩ値と親機側ＲＳＳＩ値との差が３０以上であった場合には、以後、変更後図形生成用テーブルを参照して、上述した図形の表示を行い、逆に、子機側ＲＳＳＩ値と親機側ＲＳＳＩ値との差が３０以上でなかった場合には、以後、図形生成用テーブルを参照して、上述した図形の表示を行う。
【００９０】
その後、子機５０の使用者が、子機５０の切ボタン５４ｃを押すことによる通話終了操作を行うと、子機５０は親機１０へ通話終了指令を送信すると共に、上述した図形の表示を中止する。
【００９１】
そして、通話終了指令を受信した親機１０は相手先電話装置との外線通話を終了する。
一方、外部からコードレス電話装置２に着信があった場合には、上述した図５と同様な手順で制御チャンネル（例えば４６チャンネル）から通信チャンネル（例えば５チャンネル）に切り換えることにより、子機５０が通話可能な状態となる。
【００９２】
そして、以降は、図１２と同様の手順を取る。
以上説明した第２実施形態のコードレス電話装置２によれば、子機５０は、子機５０から親機１０への通信状況を加味した通信状況を、表示パネル５３に表示することとなるため、より正確な通信状況を使用者に知らせることができる。
【００９３】
尚、本第２実施形態では、図１０のフローチャートが通信制御手段に相当し、Ｓ３１０〜Ｓ３６０の処理が閾値変更手段に相当し、親機側ＲＳＳＩ値送信処理が測定結果送信手段に相当している。
【００９４】
以上、本発明の一実施形態について説明したが、本発明は、種々の形態を採り得ることは言うまでもない。
第１，第２実施形態のコードレス電話装置１，２は、ファクシミリ機能を備えていたが、これに限らず、電話端末としての機能を有していれば、どのような機能を備えていても上記実施形態と同様の効果を得ることができる。
【００９５】
また、本実施形態では、Ｓ１４０にて過去５回の子機側ＲＳＳＩ値の平均値を算出していたが、これに限らず、Ｓ１４０では、過去複数回の子機側ＲＳＳＩ値の平均値を算出するようにしたり、過去複数回の子機側ＲＳＳＩ値の偏差を求めるようにされていても良い。
【００９６】
また、Ｓ１１０の処理にて表示パネル５３に表示させる図形は、親機１０との通信状況が最も悪い状態を表す図形ではなく、例えば、親機１０との通信状況が最も良い状態を表す図形（図４または図９にて一番下の図形）でも良い。
【００９７】
また、本実施形態では、Ｓ１６０にて表示パネル５３に図形生成用テーブルから抽出した図形を表示させていたが、これに限らず、Ｓ１６０では、Ｓ１４０にて算出された平均値をそのまま表示させるようにしても良い。この場合、Ｓ１５０の処理は実行しなくても良い。
【００９８】
また、本実施形態では、Ｓ１１０の処理でも、Ｓ１３０〜Ｓ１７０の処理を実行するように構成されていても良い。
また、第２実施形態では、Ｓ１２０の処理が終了した後に、１回だけ親機側ＲＳＳＩ値送信指令を送信していたが、これに限らず、所定周期で送信するように構成されていても良い。
【図面の簡単な説明】
【００９９】
【図１】本実施形態のコードレス電話装置装置の斜視図である。
【図２】コードレス電話装置の子機および充電台の斜視図である。
【図３】コードレス電話装置の電気的構成を表すブロック図である。
【図４】図形生成用テーブルを説明する説明図である。
【図５】使用者が第１実施形態の子機から電話を掛ける際に親機と子機と間で行われる動作を表すシーケンス図である。
【図６】外部から第１実施形態のコードレス電話に着信があった際に親機と子機との間で行われる動作を表すシーケンス図である。
【図７】第１実施形態の子機において、着信があったとき、または、通話開始操作がされたときに、制御部で実行される処理を表すフローチャートである。
【図８】使用者が子機を用いて通話を行っている際に表示パネルにて表示される図形を説明する説明図である。
【図９】変更後図形生成用テーブルを説明する説明図である。
【図１０】第２実施形態の子機において、着信があったとき、または、通話開始操作がされたときに、制御部で実行される処理を表すフローチャートである。
【図１１】第２実施形態の親機の無線通信制御部にて実行される親機側ＲＳＳＩ値送信処理を表すフローチャートである。
【図１２】使用者が第２実施形態の子機から電話を掛ける際に親機と子機との間で行われる動作を表すシーケンス図である。
【符号の説明】
【０１００】
１，２…コードレス電話装置、１０…親機、３０…無線通信部、３２…無線通信制御部、３６…コンパンダ、３８…ＲＦモジュール、５０…子機、５３…表示パネル、５４…操作ボタン、５４ａ…ダイヤルボタン、５４ｂ…外線通話ボタン、５４ｃ…切ボタン、６０…制御部、６２…レシーバ、６４…マイク、６６…コンパンダ、６８…ＲＦモジュール、１００…電話回線網。
【図１】
2006211147.tif 000003
【図２】
2006211147.tif 000004
【図３】
2006211147.tif 000005
【図４】
2006211147.tif 000006
【図５】
2006211147.tif 000007
【図６】
2006211147.tif 000008
【図７】
2006211147.tif 000009
【図８】
2006211147.tif 000010
【図９】
2006211147.tif 000011
【図１０】
2006211147.tif 000012
【図１１】
2006211147.tif 000013
【図１２】
2006211147.tif 000014